(57)【要約】【課題】ＤＣオフセットのオフセット量は常に小さく、検出待機時間Ｔｄも短いミュート方法を提供する。【解決手段】ミュート制御信号Ｄ１の実施トリガによりミュートを行うＡＣ入力信号Ｓｉｎが入力されるＡ点端子とＢ点端子の間をオープンする。さらに実施トリガにより、交流接地ＡＣ  ＧＮＤの電位を選択し基準電位として出力する。Ｂ点端子の電位を基準電位に等しくし、Ｂ点端子の電位と基準電位が等しくなるクロスタイミングＤ８を検出する。クロスタイミングＤ８により、交流接地ＡＣＧＮＤとＢ点端子の間をショートする。【選択図】      図１
2005038461.tif 000002
【特許請求の範囲】
【請求項１】
ミュート制御信号の実施トリガによりＡＣ入力信号のミュートを行うミュート回路において、
前記ＡＣ入力信号が入力されるＡ点端子とＢ点端子の間を開閉するホールド用スイッチと、
交流接地と前記Ｂ点端子の間を開閉するミュート用スイッチと、
一端が前記Ｂ点端子に接続し、他端が接地するコンデンサと、
前記実施トリガにより交流接地の電位を選択し、基準電位として出力する基準電位選択部と、
前記Ｂ点端子の電位と前記基準電位が等しくなるまで、前記コンデンサを充放電する充放電部と、
前記Ｂ点端子の電位と前記基準電位が等しくなるクロスタイミングを検出するクロス検出部と、
前記実施トリガにより前記ホールド用スイッチをオフし、前記クロスタイミングにより前記ミュート用スイッチをオンするコントロール部を有することを特徴とするミュート回路。
【請求項２】
前記ミュート回路が、さらに、前記ミュート制御信号の解除トリガにより前記ＡＣ入力信号のミュート解除を行う場合に、
前記基準電位選択部が、前記解除トリガにより前記Ａ点端子の電位を選択し、前記基準電位として出力し、
前記コントロール部が、前記解除トリガにより前記ミュート用スイッチをオフし、前記クロスタイミングにより前記ホールド用スイッチをオンすることを特徴とする請求項１に記載のミュート回路。
【請求項３】
前記充放電部が、前記コンデンサを定電流で充放電することを特徴とする請求項１または請求項２に記載のミュート回路。
【請求項４】
前記充放電部が、
前記基準電位に対して前記Ｂ点端子の電位が高いか低いかを判定する比較器と、
前記コンデンサを、前記高い場合は放電し、前記低い場合は充電するチャージポンプを有することを特徴とする請求項１乃至３のいずれか１つに記載のミュート回路。
【請求項５】
前記チャージポンプが、
前記低い場合に前記Ｂ点端子へ電流を流す充電用定電流源と、
前記高い場合に前記Ｂ点端子から電流を流す放電用定電流源を有することを特徴とする請求項４に記載のミュート回路。
【請求項６】
前記基準電位選択部が、
前記実施トリガによりオフし、前記解除トリガによりオンするＡ点選択用スイッチと、
前記実施トリガによりオンし、前記解除トリガによりオフする交流接地選択用スイッチを有することを特徴とする請求項２乃至５のいずれか１つに記載のミュート回路。
【請求項７】
ミュート制御信号の実施トリガによりＡＣ入力信号のミュートを行うミュート方法において、
前記実施トリガにより、前記ＡＣ入力信号が入力されるＡ点端子とＢ点端子の間をオープンすることと、
前記実施トリガにより、交流接地の電位を選択し、基準電位として出力することと、
前記Ｂ点端子の電位を前記基準電位に等しくすることと、
前記Ｂ点端子の電位と前記基準電位が等しくなるクロスタイミングを検出することと、
前記クロスタイミングにより、前記交流接地と前記Ｂ点端子の間をショートすることを有することを特徴とするミュート方法。
【請求項８】
前記ミュート方法が、さらに、前記ミュート制御信号の解除トリガにより前記ＡＣ入力信号のミュート解除を行う場合に、
前記解除トリガにより、前記交流接地と前記Ｂ点端子の間をオープンすることと、
前記解除トリガにより、前記Ａ点端子の電位を選択し、前記基準電位として出力することと、
前記クロスタイミングにより、前記Ａ点端子とＢ点端子の間をショートすることを、さらに有することを特徴とする請求項７に記載のミュート方法。
【請求項９】
前記Ｂ点端子の電位を前記基準電位に等しくすることとが、前記Ｂ点端子に接続するコンデンサを定電流で充放電することを有することを特徴とする請求項７または請求項８に記載のミュート方法。
【請求項１０】
前記Ｂ点端子の電位を前記基準電位に等しくすることが、
前記基準電位に対して前記Ｂ点端子の電位が高いか低いかを判定することと、
前記コンデンサを、前記高い場合は放電し、前記低い場合は充電することを有することを特徴とする請求項９に記載のミュート方法。
【請求項１１】
ミュート制御信号の実施トリガによりＡＣ入力信号のミュートを行うミュート方法において、
前記実施トリガにより、前記実施トリガが入った際における前記ＡＣ入力信号の電位から、交流接地の電位まで、一定のレートで出力の電位を変化させることと、
前記出力の電位が前記交流接地の電位に達した後は、前記出力の電位を前記交流接地の電位に保つことを有することを特徴とするミュート方法。
【請求項１２】
前記ミュート方法が、さらに、前記ミュート制御信号の解除トリガにより前記ＡＣ入力信号のミュート解除を行う場合に、
前記解除トリガにより、交流接地の電位から、前記ＡＣ入力信号の電位まで、一定のレートで前記出力の電位を変化させることと、
前記出力の電位が前記ＡＣ入力信号の電位に達した後は、前記出力の電位を前記ＡＣ入力信号の電位に追従させることを有することを特徴とする請求項１１に記載のミュート方法。
【発明の詳細な説明】
【０００１】
【発明の属する技術分野】
本発明は、ＡＣ信号をミュートするミュート回路、及び、ミュート方法に関する。
【０００２】
【従来の技術】
ステレオ、ＣＤレコーダーやＭＤレコーダー等の音を出力する装置は、ミュート装置を有している。ミュート装置により、瞬時に音の出力をゼロにすることができる。ミュート装置は、音源であるＡＣ信号を入力して出力するが、ミュート制御信号からミュートを促す実施トリガが入力すると、ＡＣ信号の出力をゼロにする。
【０００３】
図４に示すように、ミュート装置にＡＣ信号入力Ｓｉｎが入力し、ＡＣ信号出力Ｓｏｕｔを出力する。音源となるＡＣ信号入力Ｓｉｎは、正弦波を合成した合成波であると考えられるので、正弦波に対して交流接地ＡＣ  ＧＮＤが設定できる。ミュートの実施トリガとして、ミュート制御信号のレベルがミュートオフＭＵＴＥＯＦＦからミュートオンＭＵＴＥＯＮに変わる。ミュートの実施トリガにより、ＡＣ信号出力Ｓｏｕｔは、瞬時に交流接地ＡＣ  ＧＮＤのレベルに保持される。実施トリガの前後のＡＣ信号出力Ｓｏｕｔの電位差として、ＤＣオフセットが生じる。ミュートの実施トリガの入力のタイミングは、ＡＣ信号出力と非同期である為、ＤＣオフセットのオフセット量が無作為に発生する。オフセット量が大きいと異音が発生する場合があった。
【０００４】
そこで、図５に示すように、ゼロクロス検出を行い、ミュートの実施トリガの入力後に、ＡＣ信号出力Ｓｏｕｔが交流接地ＡＣ  ＧＮＤに一致する時にゼロクロス信号出力を出力し、このゼロクロス信号出力以降、ＡＣ信号出力Ｓｏｕｔは瞬時に交流接地ＡＣ  ＧＮＤのレベルに保持される（例えば、特許文献１参照。）。ＤＣオフセットのオフセット量は常に小さくできた。
【０００５】
しかし、図６に示すように、ゼロクロス検出を用いると、ミュートの実施トリガの入力からゼロクロス信号出力が出力されるまでの検出待機時間Ｔｄが発生する。ＡＣ信号入力Ｓｉｎの周波数が低周波数の場合、検出待機時間Ｔｄが長くなる場合があった。検出待機時間Ｔｄが長くなると、ミュート装置が機能しないとオペレータが誤認する場合があった。
【０００６】
そして、図７に示すように、強制ミュート時間Ｔｆを設定し、検出待機時間Ｔｄが強制ミュート時間Ｔｆより長くなると強制的にミュートをＡＣ信号出力Ｓｏｕｔに掛けた。この場合、オペレータの誤認はなくなるが、ゼロクロス検出の効果がなく、ＤＣオフセットのオフセット量が大きくなる場合があった。
【０００７】
【特許文献１】
特開２００１−３１３９６３号公報（請求項１）
【０００８】
【発明が解決しようとする課題】
本発明は、上記事情に鑑みてなされたものであり、その目的とするところは、ＤＣオフセットのオフセット量は常に小さく、検出待機時間Ｔｄも短いミュート装置を提供することにある。
【０００９】
また、本発明の目的は、ＤＣオフセットのオフセット量は常に小さく、検出待機時間Ｔｄも短いミュート方法を提供することにある。
【００１０】
【課題を解決するための手段】
上記問題点を解決するための本発明の第１の特徴は、ミュート制御信号の実施トリガによりＡＣ入力信号Ｓｉｎのミュートを行うミュート回路において、ＡＣ入力信号が入力されるＡ点端子とＢ点端子の間を開閉するホールド用スイッチと、交流接地とＢ点端子の間を開閉するミュート用スイッチと、一端が前記Ｂ点端子に接続し他端が接地するコンデンサと、実施トリガにより交流接地の電位を選択し基準電位として出力する基準電位選択部と、Ｂ点端子の電位と基準電位が等しくなるまでコンデンサを充放電する充放電部と、Ｂ点端子の電位と基準電位が等しくなるクロスタイミングを検出するクロス検出部と、実施トリガによりホールド用スイッチをオフし、クロスタイミングによりミュート用スイッチをオンするコントロール部を有するミュート回路にある。
【００１１】
本発明の第２の特徴は、ミュート制御信号の実施トリガによりＡＣ入力信号のミュートを行うミュート方法において、実施トリガによりＡＣ入力信号が入力されるＡ点端子とＢ点端子の間をオープンすることと、実施トリガにより交流接地の電位を選択し基準電位として出力することと、Ｂ点端子の電位を基準電位に等しくすることと、Ｂ点端子の電位と基準電位が等しくなるクロスタイミングを検出することと、クロスタイミングにより交流接地とＢ点端子の間をショートすることを有するミュート方法にある。
【００１２】
本発明の第３の特徴は、ミュート制御信号の実施トリガによりＡＣ入力信号のミュートを行うミュート方法において、実施トリガにより実施トリガが入った際におけるＡＣ入力信号の電位から交流接地の電位まで一定のレートで出力の電位を変化させることと、この出力の電位が交流接地の電位に達した後は、出力の電位を交流接地の電位に保つことを有するミュート方法にある。
【００１３】
【発明の実施の形態】
次に、図面を参照して、本発明の実施の形態について説明する。以下の図面の記載において、同一又は類似の部分には同一又は類似の符号を付している。また、図面は模式的なものであり、厚みと平面寸法との関係、各層の厚みの比率等は現実のものとは異なることに留意すべきである。
【００１４】
（比較例）
比較例のミュート装置は、図８に示すように、ＡＣ信号入力Ｓｉｎとミュート制御信号Ｄ１を入力し、ＡＣ信号出力Ｓｏｕｔを出力する。比較例のミュート装置は、制御部１１と、ゼロクロス検出部１２と、アナログスイッチＡＳＷ１、ＡＳＷ２と、バッファＢＵＦと、抵抗Ｒを有する。
【００１５】
ゼロクロス検出部１２は、ＡＣ信号入力Ｓｉｎと交流接地ＡＣ  ＧＮＤの交点のタイミングを検出し、ゼロクロス信号出力を出力する。
【００１６】
制御部１１は、ミュート制御信号Ｄ１のミュートの実施トリガの入力の後、ゼロクロス信号出力が入力されると瞬時に、アナログスイッチＡＳＷ１をオープンし、アナログスイッチＡＳＷ２をショートする。このことにより、ＡＣ信号出力Ｓｏｕｔは、ＡＣ信号入力Ｓｉｎから交流接地ＡＣ  ＧＮＤに接続が切り替わる。ミュート制御信号Ｄ１のミュートの実施トリガの入力の後からゼロクロス信号出力までは、検出待機時間Ｔｄである。
【００１７】
比較例のミュート装置により、図５と図６のタイミングチャートを実施できる（ミュート装置）
本発明の実施の形態に係るミュート回路は、ゼロクロス検出に加え、信号波形保持とチャージポンプを併用する。このことにより、ＤＣオフセットを低減し且つゼロクロス検出までの待機時間を改善できる。
【００１８】
本発明の実施の形態に係るミュート回路は、図１に示すように、図８の比較例と比較して、サンプルホールド用コンデンサＣＨとサンプルホールド用コンデンサ充放電用比較器出力を追加し、ゼロクロス検出部を基準電位選択部４とクロス検出部２に変更、アナログスイッチを用途によりミュート用アナログスイッチＭ−ＡＳＷとホールド用アナログスイッチＨ−ＡＳＷに分けている。
【００１９】
より詳細に、本発明の実施の形態に係るミュート回路は、ホールド用スイッチＨ−ＡＳＷと、ミュート用スイッチＭ−ＡＳＷと、コンデンサＣＨと、基準電位選択部と、充放電部と、クロス検出部と、コントロール部と、抵抗Ｒと、バッファＢＵＦを有している。ミュート回路は、ミュート制御信号Ｄ１の実施トリガによりＡＣ入力信号Ｓｉｎのミュートを行い、さらに、ミュート制御信号Ｄ１の解除トリガによりＡＣ入力信号Ｓｉｎのミュート解除を行う。ミュート回路は、ＡＣ入力信号Ｓｉｎをミュートおよびミュート解除したＡＣ出力信号Ｓｏｕｔを出力する。
【００２０】
ホールド用スイッチＨ−ＡＳＷは、コントロール部１からの出力信号Ｄ３により、ＡＣ入力信号Ｓｉｎが入力されるＡ点端子とＢ点端子の間を開閉する。
【００２１】
ミュート用スイッチＭ−ＡＳＷは、コントロール部１からの出力信号Ｄ２により、交流接地ＡＣ  ＧＮＤとＢ点端子の間を開閉する。
【００２２】
コンデンサＣＨは、一端がＢ点端子に接続し、他端が接地する。
【００２３】
基準電位選択部４は、コントロール部１からの出力信号Ｄ４に基づいて、実施トリガにより交流接地ＡＣ  ＧＮＤの電位を選択し、Ｅ点端子に基準電位として出力する。基準電位選択部４は、コントロール部１からの出力信号Ｄ４に基づいて、解除トリガによりＡ点端子の電位を選択し、Ｅ点端子に基準電位として出力する。基準電位選択部４は、Ａ点選択用スイッチＡ−ＡＳＷと、交流接地選択用スイッチＧＮＤ−ＡＳＷを有する。Ａ点選択用スイッチＡ−ＡＳＷは、実施トリガによりオフし、解除トリガによりオンする。交流接地選択用スイッチＧＮＤ−ＡＳＷは、実施トリガによりオンし、解除トリガによりオフする。
【００２４】
充放電部３は、コントロール部１からの出力信号Ｄ５に基づいて、Ｂ点端子の電位とＥ点端子の基準電位が等しくなるまで、コンデンサＣＨを定電流で充放電する。充放電部３が、比較器ＣｏｍｐとチャージポンプＩ１、Ｉ２を有する。比較器Ｃｏｍｐは、コントロール部１からの出力信号Ｄ５に基づいて、基準電位に対してＢ点端子の電位が高いか低いかを判定する。チャージポンプＩ１、Ｉ２は、コンデンサＣＨを、高い判定の場合は放電し、低い判定の場合は充電する。チャージポンプＩ１、Ｉ２は、充電用定電流源Ｉ１と、放電用定電流源Ｉ２を有する。充電用定電流源Ｉ１は、比較器Ｃｏｍｐからの出力信号Ｄ７に基づいて、低い判定の場合にＢ点端子へ電流を流す。放電用定電流源Ｉ２は、比較器Ｃｏｍｐからの出力信号Ｄ６に基づいて、高い判定の場合にＢ点端子から電流を流す。
【００２５】
クロス検出部２は、Ｂ点端子の電位と基準電位が等しくなるクロスタイミングＤ８を検出する。
【００２６】
コントロール部１は、実施トリガによりホールド用スイッチＨ−ＡＳＷをオフし、実施トリガ直後のクロスタイミングＤ８によりミュート用スイッチＭ−ＡＳＷをオンする。コントロール部１は、解除トリガによりミュート用スイッチＭ−ＡＳＷをオフし、解除トリガ直後のクロスタイミングＤ８によりホールド用スイッチＨ−ＡＳＷをオンする。
【００２７】
抵抗Ｒは、Ａ点端子と交流接地ＡＣ  ＧＮＤの間に接続される。
【００２８】
バッファＢＵＦは、Ｂ点端子とＣ点端子との間に接続される。Ｃ点端子からは、ＡＣ入力信号Ｓｉｎをミュートおよびミュート解除したＡＣ出力信号Ｓｏｕｔが出力される。
【００２９】
（ミュート方法）
本発明の実施の形態に係るミュート方法は、ミュートの方法とミュート解除の方法に分けて説明する。
【００３０】
（ミュートの方法）
本発明の実施の形態に係るミュート方法のミュートの方法は、ミュート制御信号Ｄ１の実施トリガによりＡＣ入力信号Ｓｉｎのミュートを行う。
【００３１】
図２に示すように、ＡＣ信号入力ＳｉｎがＡ点端子から入力される。ＡＣ信号出力ＳｏｕｔがＣ点端子から出力される。Ｂ点端子の電圧波形は、Ｃ点端子の電圧波形に等しい。
【００３２】
初期条件として、クロス検出はオフ、ＣＨ充放電用比較器Ｃｏｍｐの動作はオフ、ホールド用スイッチＨ−ＡＳＷは開、ミュート用スイッチＭ−ＡＳＷは閉にする。
【００３３】
ミュート（ＭＵＴＥ）制御信号Ｄ１が、オペレータ等によって、実施トリガとして、ミュートオフ（ＭＵＴＥＯＦＦ）からミュートオン（ＭＵＴＥＯＮ）に切り替わる。コントロール部１からの出力信号Ｄ４も、オフからオンに切り替わる。コントロール部１からの出力信号Ｄ３も切り替わる。
【００３４】
コントロール部１は、実施トリガにより、ホールド用スイッチＨ−ＡＳＷをオンからオフに切り替え、ＡＣ入力信号Ｓｉｎが入力されるＡ点端子とＢ点端子の間をオープンする。Ｂ点端子の電位は、実施トリガの入力時のＡ点端子の電位を保持して、いわゆるサンプルホールドされる。
【００３５】
実施トリガによる出力信号Ｄ４により、基準電位選択部４は、交流接地ＡＣ  ＧＮＤの電位を選択し、基準電位として出力する。
【００３６】
充放電部３は、Ｂ点端子の電位を基準電位に等しくする。ＣＨ充放電用比較器Ｃｏｍｐの動作をオンさせる。比較器Ｃｏｍｐは基準電位に対してＢ点端子の電位が高いか低いかを判定する。比較器ＣｏｍｐはＢ点端子の電位と交流接地ＡＣ  ＧＮＤの差電位が無くなる用にＣＨ充放電用電流Ｉ１、Ｉ２をコントロールする。比較器ＣｏｍｐはコンデンサＣＨを、高い判定の場合はＣＨ放電用電流Ｉ２で放電し、低い判定の場合はＣＨ充電用電流Ｉ１で充電する。なお、ＣＨ充放電用電流Ｉ１、Ｉ２を定電流にする。このことにより、ＡＣ信号出力Ｓｏｕｔの傾きを一定にすることができる。
【００３７】
クロス検出部２は、サンプルホールド直後のタイミングでＢ点端子の電位と交流接地ＡＣ  ＧＮＤの電位とのクロス検出待機に入る。クロス検出部２は、Ｂ点端子の電位と基準電位である交流接地ＡＣ  ＧＮＤの電位が等しくなるクロスタイミングＤ８を検出する。クロスタイミングＤ８により、コントロール部１が出力信号Ｄ２を出力する。
【００３８】
コントロール部１は、クロスタイミングＤ８による出力信号Ｄ２により、ミュート用スイッチＭ−ＡＳＷをオフからオンに切り換え、交流接地ＡＣ  ＧＮＤとＢ点端子の間をショートする。このショートの際の交流接地ＡＣ  ＧＮＤとＢ点端子の間の差電位は微小である為に、ＤＣオフセットの発生も微小である。
【００３９】
最後に、コントロール部１は、ＣＨ充電用比較器Ｃｏｍｐの動作をオフにし、コンデンサＣＨへの充放電電流Ｉ１、Ｉ２をオフにする。
【００４０】
以上により、実施トリガにより、実施トリガが入った際におけるＡＣ入力信号Ｓｉｎの電位から、交流接地ＡＣ  ＧＮＤの電位まで、一定のレートでＡＣ信号出力Ｓｏｕｔの電位を変化させることができ、ＡＣ信号出力Ｓｏｕｔの電位が交流接地ＡＣ  ＧＮＤの電位に達した後は、ＡＣ信号出力Ｓｏｕｔの電位を交流接地ＡＣ  ＧＮＤの電位に保つことができる。そして、検出待機時間Ｔｄを小さくすることができる。検出待機時間Ｔｄは、コンデンサＣＨの容量と、実施トリガの入力の際のＡ点端子の電位と充放電電流Ｉ１、Ｉ２の電流値により決まる。
【００４１】
（ミュート解除の方法）
本発明の実施の形態に係るミュート方法のミュート解除の方法は、本発明の実施の形態に係るミュート方法において、さらに、ミュート制御信号Ｄ１の解除トリガによりＡＣ入力信号Ｓｉｎのミュート解除を行う。
【００４２】
図３に示すように、ＡＣ信号入力ＳｉｎがＡ点端子から入力される。ＡＣ信号出力ＳｏｕｔがＣ点端子から出力される。Ｂ点端子の電圧波形は、Ｃ点端子の電圧波形に等しい。
【００４３】
初期条件として、クロス検出はオフ、ＣＨ充放電用比較器Ｃｏｍｐの動作はオフ、ホールド用スイッチＨ−ＡＳＷは閉、ミュート用スイッチＭ−ＡＳＷは開にする。
【００４４】
ミュート制御信号Ｄ１が、オペレータ等によって、解除トリガとして、ミュートオンからミュートオフに切り替わる。コントロール部１からの出力信号Ｄ４も、オンからオフに切り替わる。コントロール部１からの出力信号Ｄ２も切り替わる。
【００４５】
コントロール部１は、解除トリガによる出力信号Ｄ２により、ミュート用スイッチＭ−ＡＳＷをオンからオフに切り換え、交流接地ＡＣ  ＧＮＤとＢ点端子の間をオープンする。このことにより、Ｂ点端子の電位は、解除トリガの入力時の交流接地ＡＣ  ＧＮＤの電位を保持して、いわゆるサンプルホールドされる。
【００４６】
基準電位選択部４は、解除トリガによる出力信号Ｄ４により、Ａ点端子の電位を選択し、基準電位として出力する。
【００４７】
充放電部３は、Ｂ点端子の電位を基準電位に等しくする。ＣＨ充放電用比較器Ｃｏｍｐの動作をＯＮさせる。比較器Ｃｏｍｐは基準電位に対してＢ点端子の電位が高いか低いかを判定する。比較器ＣｏｍｐはＢ点端子の電位とＡ点端子の電位の差電位が無くなる用にＣＨ充放電用電流Ｉ１、Ｉ２をコントロールする。なお、ＣＨ充放電用電流Ｉ１、Ｉ２を定電流にする。このことにより、ＡＣ信号出力Ｓｏｕｔの傾きを一定にすることができる。
【００４８】
クロス検出部２は、サンプルホールド直後のタイミングでＢ点端子の電位とＡ点端子の電位とのクロス検出待機に入る。クロス検出部２は、Ｂ点端子の電位と基準電位であるＡ点端子の電位が等しくなるクロスタイミングＤ８を検出する。クロスタイミングＤ８により、コントロール部１が出力信号Ｄ３を出力する。
【００４９】
コントロール部１は、クロスタイミングＤ８による出力信号Ｄ３により、ホールド用スイッチＨ−ＡＳＷをオフからオンに切り換え、Ａ点端子とＢ点端子の間をショートする。このショートの際のＡ点端子とＢ点端子の間の差電位は微小である為に、ＤＣオフセットの発生も微小である。
【００５０】
最後に、コントロール部１は、ＣＨ充電用比較器Ｃｏｍｐの動作をオフにし、コンデンサＣＨへの充放電電流Ｉ１、Ｉ２をオフにする。
【００５１】
以上により、解除トリガにより、交流接地ＡＣ  ＧＮＤの電位から、ＡＣ入力信号Ｓｉｎの電位まで、一定のレートでＡＣ出力信号Ｓｏｕｔの電位を変化させることができ、ＡＣ出力信号Ｓｏｕｔの電位がＡＣ入力信号Ｓｉｎの電位に達した後は、ＡＣ出力信号Ｓｏｕｔの電位をＡＣ入力信号Ｓｉｎの電位に追従させることができる。そして、検出待機時間Ｔｄを小さくすることができる。
【００５２】
【発明の効果】
以上説明したように、本発明によれば、ＤＣオフセットのオフセット量は常に小さく、検出待機時間Ｔｄも短いミュート装置を提供できる。
【００５３】
また、本発明によれば、ＤＣオフセットのオフセット量は常に小さく、検出待機時間Ｔｄも短いミュート方法を提供できる。
【図面の簡単な説明】
【図１】実施の形態に係るミュート装置のブロック図である。
【図２】実施の形態に係るミュート装置のミュートを行う際のタイミングチャートである。
【図３】実施の形態に係るミュート装置のミュート解除を行う際のタイミングチャートである。
【図４】従来のゼロクロス検出無しにミュートを行う際のタイミングチャートである。
【図５】従来のゼロクロス検出によりミュートを行う際のタイミングチャート（その１）である。
【図６】従来のゼロクロス検出によりミュートを行う際のタイミングチャート（その２）である。
【図７】従来の強制ミュート時間を持つゼロクロス検出によりミュートを行う際のタイミングチャートである。
【図８】比較例のゼロクロス検出によりミュートを行うミュート装置のブロック図である。
【符号の説明】
１  コントロール部
２  クロス検出部
３  充放電部
４  基準電位選択部
【図１】
2005038461.tif 000003
【図２】
2005038461.tif 000004
【図３】
2005038461.tif 000005
【図４】
2005038461.tif 000006
【図５】
2005038461.tif 000007
【図６】
2005038461.tif 000008
【図７】
2005038461.tif 000009
【図８】
2005038461.tif 000010